(57)【要約】【課題】  週間のページに複数プランを書き込み可能とする枠を割り当て、更に各日に複数行を割り当てることで、週間ページにおいて複数プランについて詳細な記入を可能とし、更に後から検索を容易にするダイアリーノート及びリフィルを提供する。【解決手段】  週間ページにおいて、一週間の各曜日が縦方向に配置された日付欄１１と、日付欄１１の各曜日には複数行が破線１２で区切られており、一週間を横方向に３以上で８以下の数のブロック、例えば４つのブロックに実線１３で分割して複数プランが記入できるようにしダイアリーノート及びリフィルである。【選択図】        図１
0003232577.tif 000002
【実用新案登録請求の範囲】
【請求項１】
週間ページを有するダイアリーノートであって、
一週間の各曜日が縦方向に配置され、前記各曜日には複数行が割り当てられ、
前記一週間を横方向に３以上で８以下の数のブロックに分割して複数プラン記入用としたことを特徴とするダイアリーノート。
【請求項２】
横方向に分割される複数プラン記入用のブロックの数を４としたことを特徴とする請求項１記載のダイアリーノート。
【請求項３】
ブロック内の複数の行の線と曜日を区切る線を同じ形状としたことを特徴とする請求項１又は２記載のダイアリーノート。
【請求項４】
月間ページを有し、
一ヵ月の各日が縦方向に配置され、
前記一ヵ月を横方向に、週間ページで分割したブロックの数で分割して複数プラン記入用としたことを特徴とする請求項１乃至３のいずれか記載のダイアリーノート。
【請求項５】
年間ページを有し、
一年の各月が縦方向に配置され、
前記一年を横方向に、週間ページで分割したブロックの数で分割して複数プラン記入用としたことを特徴とする請求項１乃至４のいずれか記載のダイアリーノート。
【請求項６】
週間ページの手帳用のリフィルであって、
一週間の各曜日が縦方向に配置され、前記各曜日には複数行が割り当てられ、
前記一週間を横方向に３以上で８以下の数のブロックに分割して複数プラン記入用としたことを特徴とするリフィル。
【請求項７】
横方向に分割される複数プラン記入用のブロックの数を４としたことを特徴とする請求項６記載のリフィル。
【考案の詳細な説明】
【技術分野】
【０００１】
本考案は、週間のページを有するダイアリーノートに係り、特に、複数のプランについて詳細な記載を可能とするダイアリーノート及びリフィルに関する。
【背景技術】
【０００２】
［先行技術の説明］
従来の月間ページを有するダイアリーノートでは、１ヵ月の日数を例えば縦方向に配置し、横方向に複数のプランを書き込めるよう複数のブロックに区分けされているものがある。
【０００３】
しかしながら、その月間ページでは、１ヵ月を１枚に表示するため、１日について１行が割り当てられているだけで、プランの詳しい内容まで記載できるものとはなっていない。
【０００４】
また、週間ページのダイアリーノートでは、複数のプランを書き込めるような構成となっているものがない。
【０００５】
［関連技術］
尚、関連する先行技術としては、実用新案登録第３１２４４１５号公報「時間管理ノート」（特許文献１）がある。
【０００６】
特許文献１には、週間のノートに、１日単位で１つの項目に複数の関連事項を書き込み可能とする構成が記載されている。但し、１週間を通じて複数のプランを記入できるものとはなっていない。
【先行技術文献】
【特許文献】
【０００７】
【特許文献１】実用新案登録第３１２４４１５号公報
【考案の概要】
【考案が解決しようとする課題】
【０００８】
上述したように、従来の週間ページを有するダイアリーノートでは、月間ページと同様に複数のプランを書き込めるものがなく、更に月間ページに比べてより詳細にプラン内容を書き込むことができないという問題点があった。
【０００９】
尚、特許文献１には、週間ノートで複数のプランを書き込みできる構成については記載されていない。
【００１０】
本考案は上記実状に鑑みて為されたもので、週間のページに複数プランを書き込み可能とする枠を割り当て、更に各日に複数行を割り当てることで、週間ページにおいて複数プランについて詳細な記入を可能とし、更に後から検索を容易にするダイアリーノート及びリフィルを提供することを目的とする。
【課題を解決するための手段】
【００１１】
上記従来例の問題点を解決するための本考案は、週間ページを有するダイアリーノートであって、一週間の各曜日が縦方向に配置され、各曜日には複数行が割り当てられ、一週間を横方向に３以上で８以下の数のブロックに分割して複数プラン記入用としたことを特徴とする。
【００１２】
本考案は、上記ダイアリーノートにおいて、横方向に分割される複数プラン記入用のブロックの数を４としたことを特徴とする。
【００１３】
本考案は、上記ダイアリーノートにおいて、曜日内の複数の行の線と曜日を区切る線を同じ形状としたことを特徴とする。
【００１４】
本考案は、上記ダイアリーノートにおいて、月間ページを有し、一ヵ月の各日が縦方向に配置され、一ヵ月を横方向に、週間ページで分割したブロックの数で分割して複数プラン記入用としたことを特徴とする。
【００１５】
本考案は、上記ダイアリーノートにおいて、年間ページを有し、一年の各月が縦方向に配置され、一年を横方向に、週間ページで分割したブロックの数で分割して複数プラン記入用としたことを特徴とする。
【００１６】
本考案は、週間ページの手帳用のリフィルであって、一週間の各曜日が縦方向に配置され、各曜日には複数行が割り当てられ、一週間を横方向に３以上で８以下の数のブロックに分割して複数プラン記入用としたことを特徴とする。
【００１７】
本考案は、上記リフィルにおいて、横方向に分割される複数プラン記入用のブロックの数を４としたことを特徴とする。
【考案の効果】
【００１８】
本考案によれば、週間ページを有するダイアリーノートであって、一週間の各曜日が縦方向に配置され、各曜日には複数行が割り当てられ、一週間を横方向に３以上で８以下の数のブロックに分割して複数プラン記入用としたものであり、週間ページでも複数プランについて詳細に記載でき、また、週間ページにおいて複数プランをそれぞれ独立して記載できるため、後から見直す際に調べたいプランの記録、履歴を探すのが容易になる効果がある。
【００１９】
本考案によれば、週間ページの手帳用のリフィルであって、一週間の各曜日が縦方向に配置され、各曜日には複数行が割り当てられ、一週間を横方向に３以上で８以下の数のブロックに分割して複数プラン記入用としたものであり、週間ページでも複数プランについて詳細に記載でき、また、週間ページにおいて複数プランをそれぞれ独立して記載できるため、後から見直す際に調べたいプランの記録、履歴を探すのが容易になる効果がある。
【図面の簡単な説明】
【００２０】
【図１】週間ページの見開きを示す説明図である。
【図２】月間ページの見開きを示す説明図である。
【図３】年間ページの見開きを示す説明図である。
【考案を実施するための形態】
【００２１】
本考案の実施の形態について図面を参照しながら説明する。
［実施の形態の概要］
本考案の実施の形態に係るダイアリーノート（本ノート）は、週間ページにおいて、一週間の各曜日が縦方向に配置され、各曜日には複数行が割り当てられ、一週間を横方向に３以上で８以下の数のブロック、例えば４つのブロックに分割して複数プランが記入できるようにしたものであり、週間ページでも複数プランについて１日の複数行に詳細に記載でき、また、週間ページにおいて複数プランをそれぞれ独立して記載できるため、後から見直す際に調べたいプランの記録、履歴を探すのが容易になるものである。
【００２２】
本考案の実施の形態に係る手帳用のリフィル（本リフィル）は、週間ページにおいて、一週間の各曜日が縦方向に配置され、各曜日には複数行が割り当てられ、一週間を横方向に３以上で８以下の数のブロック、例えば４つのブロックに分割して複数プランが記入できるようにしたものであり、週間ページでも複数プランについて１日の複数行に詳細に記載でき、また、週間ページにおいて複数プランをそれぞれ独立して記載できるため、後から見直す際に調べたいプランの記録、履歴を探すのが容易になるものである。
【００２３】
［本ノートの週間ページ：図１］
次に、本ノートの週間ページについて図１を参照しながら説明する。図１は、週間ページの見開きを示す説明図である。
週間ページは、図１に示すように、各ページの左側に日付と曜日が記載された日付欄１１が縦方向に配置され、各日付には複数行の罫線が破線（点線）１２で印刷されている。
【００２４】
また、週間ページの日付欄１１の右側には、４つの枠（ブロック）に区分するよう縦方向に罫線が実線１３で印刷されている。
そして、週間ページの上側には、任意のプラン項目（タイトル）を記入できるプランタイトル記入欄１４が設けられている。
また、週間ページの下側には、家計簿等の利用に便利な集計欄１５が設けられている。
【００２５】
更に、４つの枠（ブロック）における日付の境目を横方向に実線で区切ることをせず、日付内の破線１２と同じ形状の破線（点線）１６を用いて区切っている。これは、各プランについて必要であれば、日付を跨いで自由に記載できるように配慮したものである。無論、利用者がペンで実線を引いて区切るように使用しても構わない。
【００２６】
本ノートでは、横方向に配置されたブロックを４つとし、４つのプランを書き込めるようにしたが、ブロックの数は任意の複数であっても構わない。但し、複数のプランについて詳しい記載を行うためには、３以上で８以下のブロック数とすることが望ましく、その中でもブロック数を４とすることが好適である。
【００２７】
［本ノートの月間ページ：図２］
次に、本ノートの月間ページについて図２を参照しながら説明する。図２は、月間ページの見開きを示す説明図である。
月間ページは、図２に示すように、左側のページがマンスリーブロックで、右側のページがマンスリーリストとなっている。
【００２８】
本ノートの特徴としては、右側のページのマンスリーリストが、週間ページと同様に４つのプランを書き込めるように、４つのブロックに区切られている。
週間のブロック数とマンスリーリストのブロック数を同じとすることで、両者で同じプランを連携（リンク）させることができる。
【００２９】
つまり、マンスリーリストに記入するプランタイトルと週間ページに記入するプランタイトルを同じにし、マンスリーリストでプランの予定を管理・把握して未来を管理し、週間ページでプランの状況・経過を書き込んで現在と過去を管理できるようになっている。
【００３０】
具体的には、マンスリーリストは、図２に示すように、左側に日付と曜日が記載された日付欄２１が縦方向に配置され、各日付を区切る実線２２が印刷されている。
また、マンスリーリストの日付欄２１の右側には、４つのブロックに区分するよう縦方向に罫線が実線２３で印刷されている。
そして、マンスリーリストの上側には、プラン項目（タイトル）を記入できるプランタイトル記入欄２４が設けられている。
また、マンスリーリストの下側には、家計簿等の利用に便利な集計欄２５が設けられている。
【００３１】
［本ノートの年間ページ：図３］
次に、本ノートの年間ページについて図３を参照しながら説明する。図３は、年間ページの見開きを示す説明図である。
年間ページは、図３に示すように、左側のページがイヤープランのページで、右側のページがイヤーリストとなっている。
【００３２】
本ノートの特徴としては、右側のページのイヤーリストが、週間ページ及び月間ページのマンスリーリストと同様に４つのプランを書き込めるように、４つのブロックに区切られている。
このイヤーリストでも、週間ページと月間ページで共有するプランタイトルを同様に用い、４つのプランについて年間の予定を管理・把握し、月間ページでは月間の予定を管理・把握し、週間ページで現状、経緯、結果を記録できるものとなっている。
【００３３】
具体的には、イヤーリストは、図３に示すように、左側に１２月から翌翌年の３月までの１６ヵ月分の月が記載された月欄３１が縦方向に配置され、各月を区切る実線３２が印刷されている。
また、イヤーリストの月欄３１の右側には、４つのブロックに区分するよう縦方向に罫線が実線３３で印刷されている。
そして、イヤーリストの上側には、プラン項目（タイトル）を記入できるプランタイトル記入欄３４が設けられている。
また、イヤーリストの下側には、家計簿等の利用に便利な集計欄３５が設けられている。
【００３４】
また、左側のイヤープランのページは、図３に示すように、上から順に、２０２１年の反省「REFLECTION OF 2021」の記入欄、その下に２０２２年の目標「2022’S GOALS」の記入欄、その下に達成可能な目標「ACHIEVABLE GOALS」及びやるべきこと「TASK」の記入欄が設けられている。
やるべきことの欄には、終了をチェックできるチェックボックスが設けられている。
【００３５】
［リフィルへの応用］
本ノートでは、週間ページ、月間ページ、年間ページが綴じられた１冊のノートとしたが、それぞれのページをばらばらにしてシステム手帳のリングに合わせて穴を開けたシステム手帳用のリフィル（本リフィル）としてもよい。
また、週間ページのリフィルとして、曜日の記載はあるものの日付の記載がないフリーのリフィルとしてもよい。
【００３６】
［実施の形態の効果］
本ノートによれば、週間ページにおいて、一週間の各曜日が縦方向に配置された日付欄１１と、日付欄１１の各曜日には複数行が破線１２で区切られており、一週間を横方向に３以上で８以下の数のブロック、例えば４つのブロックに実線１３で分割して複数プランが記入できるようにしているので、週間ページでも複数プランについて１日の複数行に詳細に記載でき、また、週間ページにおいて複数プランをそれぞれ独立して記載できるため、後から見直す際に調べたいプランの記録、履歴を探すのが容易になる効果がある。
【００３７】
また、本リフィルによれば、週間ページにおいて、一週間の各曜日が縦方向に配置され、各曜日には複数行が割り当てられ、一週間を横方向に３以上で８以下の数のブロック、例えば４つのブロックに分割して複数プランが記入できるようにしているので、週間ページでも複数プランについて１日の複数行に詳細に記載でき、また、週間ページにおいて複数プランをそれぞれ独立して記載できるため、後から見直す際に調べたいプランの記録、履歴を探すのが容易になる効果がある。
【産業上の利用可能性】
【００３８】
本考案は、週間のページに複数プランを書き込み可能とする枠を割り当て、更に各日に複数行を割り当てることで、週間ページにおいて複数プランについて詳細な記入を可能とし、更に後から検索を容易にするダイアリーノート及びリフィルに適している。
【符号の説明】
【００３９】
１１，２１…日付欄、  １２…破線（点線）、  １３，２３，３３…実線、  １４，２４，３４…プランタイトル記入欄、  １５，２５，３５…集計欄、  １６…破線（点線）、  ２２，３２…実線、  ３１…月欄
【図１】
0003232577.tif 000003
【図２】
0003232577.tif 000004
【図３】
0003232577.tif 000005